(57)【要約】【課題】自動車等の移動手段に設置されるコンピュータ機器に対し、機器本体側への放射を抑制して高い放射特性を得ることができ、良好で安定した機器の通信を実現することができる。【解決手段】自動車等に設置されるコンピュータ機器のスロットに装着され、コンピュータ機器の無線通信を可能とする無線通信カード１であって、側面視で前端縁２ａが略同一位置である導電性のシールドケース２と、シールドケース２に内装される回路基板４と、前端縁２ａから離間して前端開口１０から突出するプリント基板３と、基板３上に形成され且つ前端縁２ａよりも前方に配設されるダイポールアンテナ４と、前端縁２ａから離間して前端開口１０を通ってダイポールアンテナ４に給電する同軸線路５とを備え、シールドケース２内に分布容量が構成される。【選択図】図２
2007151071.tif 000002
【特許請求の範囲】
【請求項１】
移動手段に設置されるコンピュータ機器のスロットに装着され、コンピュータ機器の無線通信を可能とする無線通信カードであって、側面視で前端開口縁が略同一位置である導電性のシールドケースと、シールドケースに内装される回路基板と、シールドケースの前端開口縁から離間して前端開口部から突出する回路基板と一体若しくは別体の基板と、該基板上に形成され且つシールドケースの前端開口縁よりも前方に配設される非接地形アンテナと、シールドケースの前端開口縁から離間して前端開口部を通って非接地形アンテナに給電する同軸線路とを備え、シールドケース内に分布容量が構成されることを特徴とする無線通信カード。
【請求項２】
前記シールドケースの前端開口縁が略方形枠状に形成され、シールドケースの前端開口縁の上縁若しくは下縁から非接地形アンテナまでの水平方向の距離ｄがｄ／（λ／４）＝０．６〜１．２を充足し、且つ該シールドケースの前端開口縁の上縁若しくは下縁の長さｌがｌ／（λ／２）＝０．８〜１．２を充足することを特徴とする請求項１記載の無線通信カード。
【請求項３】
シールドケースの内面の上面若しくは下面に沿って絶縁材を設け、回路基板を該上面若しくは下面の絶縁材から離間して配設することを特徴とする請求項１又は２記載の無線通信カード。
【請求項４】
前記基板のシールドケースの前端開口部から突出している部分と非接地形アンテナと同軸線路を絶縁性のフロントカバーで被覆することを特徴とする請求項１、２又は３記載の無線通信カード。
【請求項５】
同軸線路が可撓性を有し、前記別体の基板及び非接地形アンテナ及びフロントカバーを同軸線路を撓ませながらシールドケース内に収容可能とすることを特徴とする請求項４記載の無線通信カード。
【発明の詳細な説明】
【技術分野】
【０００１】
本発明は、コンピュータ機器のスロットに装着され、コンピュータ機器の無線通信を可能にする無線通信カードに関する。
【背景技術】
【０００２】
コンピュータ機器のスロットに装着される無線通信カードとして、例えば図１２（ａ）のＰＣカードである無線通信カード１００が知られている。無線通信カード１００は、例えばノートブック型のパーソナルコンピュータのスロットに装着して無線通信に使用されるものであり、シールドケース１０１内に回路基板１０２が内装されていると共に、シールドケース１０１の前部１０３に切欠部１０４が形成され、切欠部１０４の前面にアンテナ１０５が回転可能に軸支されている。アンテナ１０５は、不使用時には破損しないように水平状態とされて切欠部１０４に収められ、使用時には水平状態から回転して垂直状態とされて電波を送受信する。尚、同様の構成を有する無線通信カードが特許文献１に開示されている。
【０００３】
上記無線通信カード１００の内部では、図１２（ｂ）に示すように、同軸線路１０６が回路基板１０２のグランド１０７上に配設され、同軸線路１０６の末端側では中心導体１０８が高周波電源１０９のホット側に接続され、外部導体１１０がグランド１０７に接続されている。また、同軸線路１０６の先端側では中心導体１０８がアンテナ１０５に接続され、外部導体１１０がアンテナ根元近傍でグランド１０７に接続されている。前記アンテナ構造は、アンテナ１０５とグランド１０７が一体となった接地形の１／４波長モノポールアンテナになっている。
【０００４】
【特許文献１】特開２００２−３２９１８２号公報
【発明の開示】
【発明が解決しようとする課題】
【０００５】
ところで、例えば使用周波数の波長をλとしたとき、上記接地形のλ／４波長モノポールアンテナの無線通信カード１００をノートブック型パソコンに装着して使用する場合、金属製のパソコン本体（筐体）に接地電流（漏れ電流）が流れてパソコン本体も電波を放射し、アンテナ１０５と筐体が一体となって実質的なアンテナを構成して電波を放射する。しかも、パソコン本体から放射する電波の方が強いため、パソコン本体（筐体）が無線通信に大きく寄与している。
【０００６】
しかしながら、例えば本体に相当する部分がダッシュボード内に収納されて自動車に設置されるカーナビゲーション機器のように、自動車等に設置されるコンピュータ機器の場合には、機器本体による電波放射を期待することができず、機器本体側への電波放射が損失となり、実質的に通信することが困難となる。そのため、放射特性を改善した無線通信カードが求められている。
【０００７】
本発明は上記課題に鑑み提案するものであって、自動車等の移動手段に設置されるコンピュータ機器に対し、機器本体側への放射を抑制して高い放射特性を得ることができ、良好で安定した機器の通信を実現することができる無線通信カードを提供することを目的とする。
【課題を解決するための手段】
【０００８】
本発明の無線通信カードは、移動手段に設置されるコンピュータ機器のスロットに装着され、コンピュータ機器の無線通信を可能とする無線通信カードであって、側面視で前端開口縁が略同一位置である導電性のシールドケースと、シールドケースに内装される回路基板と、シールドケースの前端開口縁から離間して前端開口部から突出する回路基板と一体若しくは別体の基板と、該基板上に形成され且つシールドケースの前端開口縁よりも前方に配設される非接地形アンテナと、シールドケースの前端開口縁から離間して前端開口部を通って非接地形アンテナに給電する同軸線路とを備え、シールドケース内に分布容量が構成されることを特徴とする。前記シールドケースの前端開口縁の形状は適宜であり、例えば縁が直線若しくは曲線若しくはこれらの組み合わせからなる開口縁とすることが可能である。
【０００９】
また、本発明の無線通信カードは、前記シールドケースの前端開口縁が略方形枠状に形成され、シールドケースの前端開口縁の上縁若しくは下縁から非接地形アンテナまでの水平方向の距離ｄがｄ／（λ／４）＝０．６〜１．２を充足し、且つ該シールドケースの前端開口縁の上縁若しくは下縁の長さｌがｌ／（λ／２）＝０．８〜１．２を充足することを特徴とする。
【００１０】
また、本発明の無線通信カードは、シールドケースの内面の上面若しくは下面に沿って絶縁材を設け、回路基板と同軸線路を該上面若しくは下面の絶縁材から離間して配設することを特徴とする。前記絶縁材は、例えばシールドケース内面に貼着、接着等で設ける絶縁フィルムや、シールドケース内面に塗布される絶縁塗料等とすることが可能である。
また、本発明の無線通信カードは、前記基板のシールドケースの前端開口部から突出している部分と非接地形アンテナと同軸線路を絶縁性のフロントカバーで被覆することを特徴とする。
【００１１】
また、本発明の無線通信カードは、同軸線路が可撓性を有し、前記別体の基板及び非接地形アンテナ及びフロントカバーを同軸線路を撓ませながらシールドケース内に収容可能とすることを特徴とする。例えばフロントカバーとシールドケースとに設けるレールの係合等でフロントカバーをシールドケースに対して所定範囲で摺動可能とし、不使用時にはフロントカバーの摺動で同軸線路を撓ませながらフロントカバーをシールドケース内に収容し、使用時にはフロントカバーをシールドケースから引き出す構成等とする。前記撓みには、同軸線路の途中を円形となるように湾曲させる円形による撓みが含まれる。
【００１２】
尚、本願の発明には、各発明の部分的な構成を他の構成に変更し、或いは各発明の構成に他の構成を付加し、或いは各発明の部分的な構成を部分的な作用効果が得られる限度で削除して上位概念化したものも含まれる。また、本発明は、無線通信カード以外で特定することが可能であり、例えばアンテナ構造等として特定することが可能である。
【発明の効果】
【００１３】
本発明の無線通信カードは、非接地形アンテナに給電する同軸線路をシールドケースの前端開口部を通って設け、同軸線路の外周に開口縁を配置し、シールドケース内に空気や絶縁材など絶縁体で分布容量を構成することにより、シールドケースの前端開口部の開口縁を高インピーダンスとし、シールドケース内に非常に低いインピーダンス領域を設け、高周波に対してほぼ短絡に等しい状態の箇所を設けることができる。従って、コンピュータ機器の筐体側へ漏れ電流が流れて不要輻射が生ずることを防止することができると共に、シールドケースの前端開口縁が前方に配設する非接地形アンテナに対する反射器として機能し、後方への放射を抑制し前方への放射を高めて放射エネルギーの前方への指向性を高めることができ、アンテナ利得を向上することができる。それ故、例えば自動車や電車など移動手段に設置されるコンピュータ機器の通信に於いて、良好で安定した通信を実現することができる。
【００１４】
特に、シールドケースの前端開口縁を略方形枠状とし、その上縁若しくは下縁から非接地形アンテナまでの距離ｄをｄ／（λ／４）＝０．６〜１．２、その上縁若しくは下縁の長さｌをｌ／（λ／２）＝０．８〜１．２とすることにより、前方への放射を一層高め、アンテナ利得をより向上することができる。
【００１５】
また、シールドケースの内面の上面若しくは下面に沿って絶縁材を設け、回路基板と同軸線路を該上面若しくは下面の絶縁材から離間して配設することにより、高周波に対する短絡状態をより確実なものとすることができると共に、直流電流に対する短絡を確実に防止することができ、安全性を高めることができる。
【００１６】
また、基板のシールドケースの前端開口部から突出している部分と非接地形アンテナと同軸線路を絶縁性のフロントカバーで被覆することにより、電気的に露出している部分を無くし、アンテナの諸特性を安定化することができる。
【００１７】
また、別体の基板及び非接地形アンテナ及びフロントカバーを同軸線路を撓ませながらシールドケース内に収容可能とすることにより、不使用時にフロントカバー部分をシールドケース内に収納して、人体や物との接触による破損を防止し且つ人体等の安全の確保を図れると共に、無線通信カードをコンパクト化することができる。
【００１８】
また、本発明の無線通信カードは、構造が簡単であり、小型化、軽量化することが可能である。また、従来例のアンテナを回転するような要素が無いことから、振動・温度・湿度等に対する耐久性に優れている。
【発明を実施するための最良の形態】
【００１９】
本発明の無線通信カードの実施形態について説明する。
【００２０】
本実施形態の無線通信カード１は、図１〜図４に示すように、略直方体形中空で、導電性（金属製）のシールドケース２を有し、シールドケース２の前方に略Ｔ字形中空で非導電性樹脂製のフロントカバー２１が設けられている。フロントカバー２１は、その後端縁２１ａをシールドケースの略方形枠状の前端縁２ａに当接するように配置され、後端縁２１ａと前端縁２ａを接着する或いは前端縁２ａの突起を後端縁２１ａの穴に嵌合する等により、シールドケース２に固定されている。
【００２１】
シールドケース２の内面には薄膜の絶縁フィルム９が略全面に貼着して設けられ、シールドケース２の下板２ｂに施された絶縁フィルム９上に回路基板８が実装されている。回路基板８の前方にはアンテナ用のプリント基板３が実装され、プリント基板３の前部上面にダイポールアンテナ４のアンテナ素子４ａ、４ｂが水平に設けられ、非接地型の２素子アンテナを構成している。プリント基板３は、シールドケース２の前端縁２ａ（開口縁）で囲まれている開口１０から大部分が前方に突出して配設され、アンテナ素子４ａ、４ｂは前端縁２ａよりも前方に配置されている。
【００２２】
回路基板８、プリント基板３上には同軸線路５が配設されており、図１（ｂ）、図３に示すように、同軸線路５の前端に於いて、その中心導体６はダイポールアンテナ４の一方のアンテナ素子４ａに接続され、その外部導体７はダイポールアンテナ４の他方のアンテナ素子４ｂに接続されている。また、同軸線路５の後端に於いて、その中心導体６は高周波電源（図示せず）の出力端子のホット側に接続され、その外部導体７は高周波電源の出力端子のグランド側に接続されており、前記グランド側は回路基板８のグランドに接続されている。そして、開口１０に於ける、シールドケース２の枠状の前端縁２ａと、前記前端縁２ａ内に配設されているプリント基板３及び同軸線路５との間は開放部１０ａになっている。
【００２３】
更に、回路基板８と絶縁フィルム９には複数箇所に連通する穴８１、９１が形成され、上板２ｃと下板２ｂを付勢するようにして板バネ状の金属バネ１１が各穴８１、９１に設置されている。金属バネ１１は、穴８１、９１の箇所で露出しているシールドケース２の下板２ｂの上面に接触していると共に回路基板８にも接触しており、シールドケース２と回路基板８とは数カ所の穴８１、９１に設けられた複数の金属バネ１１を介して直流的に接続されている。また、シールドケース上板２ｃと、同軸線路５の外部導体７及び回路基板８との間には空気と絶縁フィルム９を介して分布容量１２が構成され、シールドケース２と回路基板８は分布容量１２で高周波的に接続状態になっている。尚、適宜箇所でシールドケース２と回路基板８を電気的に接続しつつ、シールドケース下板２ｂと、同軸線路５の外部導体７及び回路基板８との間には空気と絶縁フィルム９を介して分布容量１２を形成する構成や、或いはシールドケース上板２ｃと同軸線路５の外部導体７及び回路基板８との間及びシールドケース下板２ｂと同軸線路５の外部導体７及び回路基板８との間の双方に空気と絶縁フィルム９を介して分布容量１２を形成する構成としてもよい。
【００２４】
上記構成では、平衡アンテナであるダイポールアンテナ４に不平衡な同軸線路５で給電しているため、同軸線路５の外部導体７に不平衡電流が流れ、通常はコンピュータ機器側に漏れ電流が流れる。しかしながら、上記無線通信カード１では、プリント基板３及び同軸線路５を開放部１０ａで離間しながら前端縁２ａを貫通させ、開放端インピーダンスで高インピーダンスを構成すると共に、前端縁２ａより内側のシールドケース２内に於いて、同軸線路５の外部導体７及び回路基板８とシールドケース上板２ｃの内面との間等に分布容量１２を形成し、前端縁２ａからλ／４分、シールドケース２内に入り込んだ位置の近傍で高周波に対して殆ど短絡状態となる低インピーダンス領域を設けることにより、バルンを用いずとも、シュペルトップと同様の原理で漏れ電流がコンピュータ機器の筐体側に流れることを防止できる。そして、シールドケース２の前端縁２ａを前方のダイポールアンテナ４に対する反射器として機能させ、電波の放射エネルギーの前方への指向性を高め、アンテナ利得を向上することができる。
【００２５】
尚、上記無線通信カード１のシールドケース２、フロントカバー２１、ダイポールアンテナ４やそのアンテナ素子４ａ、４ｂ等の寸法や構造は、アンテナ素子４ａ、４ｂの寸法や構造を対象とする通信電波の帯域に応じて適宜の電気的長さに設定する等、本発明の趣旨の範囲内で適宜であり、例えばシールドケース２の寸法をＰＣカードの標準規格と同一の幅５４ｍｍ、厚さ５ｍｍ、長さ７５ｍｍとし、ダイポールアンテナ４を、周波数帯域が１．９ＧＨｚ帯、波長λが１５〜１６ｃｍの準マイクロ波帯の通信電波に対応させるべく、アンテナ素子４ａ、４ｂの途中に短縮コイルを挿入して物理的長さを短縮した半波長（λ／２）ダイポールアンテナとすること等が可能である。前記短縮コイル或いはアンテナ素子４ａ、４ｂをコイル状や線状とする場合のアンテナ素子４ａ、４ｂは、例えばプリント基板３の中心から幅方向両外側に向かって、所定間隔毎に形成するスルーホールを２列で且つ前記２列のスルーホールを千鳥配置でそれぞれ設け、前記スルーホールに短縮コイル或いはコイル状や線状のアンテナ素子４ａ、４ｂを巻き付けて設ける構成等とする。
【００２６】
また、一層のアンテナ利得の向上の点から、シールドケース２の略方形枠状の前端縁２ａの上縁若しくは下縁からダイポールアンテナ４のアンテナ素子４ａ、４ｂまでの水平方向の距離ｄは、ｄ／（λ／４）＝０．６〜１．２を充足するように設定し、シールドケース前端縁２ａの上縁若しくは下縁の長さｌは、ｌ／（λ／２）＝０．８〜１．２を充足するように設定することが好ましい。例えば通信電波の波長λが１５〜１６ｃｍ程度の１．９ＧＨｚ帯の場合、距離ｄは２３．７〜４７．４ｍｍ、長さｌは６３．２〜８６．９ｍｍとすることが好ましい（図１（ａ）、図４参照）。尚、距離ｄと長さｌは、実構造での誘電体の誘電率の影響により、実際には短縮された寸法になっている。
【００２７】
また、上記実施形態では非接地形アンテナをダイポールアンテナ４としたが、他の非接地型アンテナとしてもよい。また、上記実施形態ではダイポールアンテナ４と回路基板８や高周波電源とを同軸線路５を用いて接続したが、部分的にプリント基板３や回路基板８に形成されたストリップラインを用いて接続してもよい。また、上記実施形態ではプリント基板３は回路基板８と別に設ける構成としたが、両者を一体形成した構成としてもよい。また、例えばフロントカバー２１内でプリント基板３を支持部で所定位置に保持し、プリント基板３に設けられたダイポールアンテナ４に接続された同軸線路５を緩みを持たせてフロントカバー２１及びシールドケース２内に配設し、シールドケース２内とフロントカバー２１とにフロントカバー２１の突出方向に延びて互いに係合するレールを設け、前記係合レールによりフロントカバー２１を前記レールの係合範囲で摺動可能とする構成等で、不使用時にはフロントカバー２１等を同軸線路５を撓ませながら摺動してシールドケース２内に収容し、使用時にはフロントカバー２１を同軸線路５を撓ませながら摺動してシールドケース２から引き出せるようにしてもよい。
【００２８】
また、上記実施形態では、ダイポールアンテナ４をシールドケース２の幅方向に対して水平に設け、長手方向が水平配置のコンピュータ機器のスロットに無線通信カード１を挿入した際にダイポールアンテナ４が水平配置されて水平偏波を受信し易くなり、長手方向が垂直配置のスロットに無線通信カード１を挿入した際にダイポールアンテナ４が垂直配置されて垂直偏波を受信し易くなるようにしたが、シールドケース２に対してプリント基板３やダイポールアンテナ４を垂直に設けるなどダイポールアンテナ４をシールドケース２の幅方向に対して垂直に設け、水平配置のスロットの場合にダイポールアンテナ４が垂直配置され、垂直配置のスロットの場合にダイポールアンテナ４が水平配置されるようにしてもよく、更にはダイポールアンテナ４がシールドケース２の幅方向に対して適宜の傾斜角で斜めに配置される構成や、シールドケース２の幅方向に対して水平配置若しくは垂直配置のダイポールアンテナ４を有する無線通信カード１を適宜の傾斜角で配置されたスロットに挿入する構成など、ダイポールアンテナ４を斜めに配置する構成としてもよい。移動手段内の無線通信カード１で電波を受信する際、発信電波が垂直偏波、水平偏波等の何れの場合も地上の建造物、移動手段である車体等の構造によって乱反射偏波面が形成されるので、適宜の角度で配置したダイポールアンテナ４など非接地型アンテナにより十分に安定して受信することが可能である。例えば水平配置されたダイポールアンテナ４で、発信される垂直偏波を実用上十分なレベルで送受信することができる。
【００２９】
次に、上記実施形態の無線通信カード１に関し、その放射指向特性、ＶＳＲＷ特性等の測定結果を図５〜図１１に沿って説明する。
【００３０】
図５は、上記実施形態の無線通信カード１のダイポールアンテナ４を水平（図５（ａ）の縦方向）に配置して、水平のダイポールアンテナ４に前方から測定アンテナ１３で水平偏波を放射し、無線通信カード１を垂直面内で回転（図５（ａ）の一点鎖線矢印の方向）して、無線通信カード１の回転角度に応じた放射レベル（ｄＢ）を測定した場合に係り、図５（ａ）は無線通信カード１の水平偏波に対する垂直面内指向特性を測定する測定ポジションを示し、図５（ｂ）はその測定結果である。図５（ｂ）から、無線通信カード１は、前後比（Ｆ／Ｂレシオ）が６〜７ｄＢで２素子アンテナとして良好な放射特性を示しており、シールドケース２の前端縁２ａが反射器として良好に機能していることが分かる。半値角は１００°以上、０±３０°で最大利得２．０ｄＢｉであった。
【００３１】
図６は、上記実施形態の無線通信カード１のダイポールアンテナ４を水平（図６（ａ）の縦方向）に配置して、水平のダイポールアンテナ４に前方から測定アンテナ１３で垂直偏波を放射し、無線通信カード１を垂直面内で回転（図６（ａ）の一点鎖線矢印の方向）して、無線通信カード１の回転角度に応じた放射レベル（ｄＢ）を測定した場合に係り、図６（ａ）は無線通信カード１の垂直偏波に対する垂直面内指向特性を測定する測定ポジションを示し、図６（ｂ）はその測定結果である。前後比は−３．０〜−３．５ｄＢ、最大利得は角度−６０°で−８ｄＢｉ以下である。乱反射偏波面のない交差偏波に対する測定であるため、利得は低下している。
【００３２】
図７は、図１２の従来例の無線通信カード１００のアンテナ１０５を垂直（図７（ａ）の縦方向）に配置して、垂直のアンテナ４に前方から測定アンテナ１３で垂直偏波を放射し、無線通信カード１００を垂直面内で回転（図７（ａ）の一点鎖線矢印の方向）して、無線通信カード１００の回転角度に応じた放射レベル（ｄＢ）を測定した場合に係り、図７（ａ）は従来の無線通信カード１００の垂直偏波に対する垂直面内指向特性を測定する測定ポジションを示し、図７（ｂ）はその測定結果である。放射は前方０°方向に向くのが有効であるが、図７（ｂ）では０°近傍がヌル点になっている。他方、後方−１５０°にシールドケース１０１に流れる不平衡電流（漏れ電流）による不要放射を生じており、そのレベルは−３．２ｄＢｉである。
【００３３】
図６（ｂ）と図７（ｂ）の測定結果を比較すると、図７（ｂ）の従来例では、垂直偏波を垂直に配置されたアンテナ１０５（モノポールアンテナ）で受けているにも拘わらず、最も放射を必要とする０°近傍でヌル点になっている。これに対し、図６（ｂ）の無線通信カード１では、垂直偏波を水平に配置されたダイポールアンテナ４で受けているにも拘わらず、０°近傍で図７（ｂ）を上回る利得を得ている。また、図６（ｂ）で後方２１０°〜２２０°近傍の不要放射レベルは−１０ｄＢｉであり、無線通信カード１の開口１０及び開口１０内のシールドケース２の構造等が高インピーダンス要素として作用し、不要放射を抑制している。
【００３４】
また、図８〜図１０は、上記実施形態の２素子アンテナを備えた無線通信カード１と図１２の従来例のアンテナ４（モノポールアンテナ）を備えた無線通信カード１００について、前方から電波を送る測定アンテナ１３の角度θを変化させて偏波面を変化させ（図８、図９参照）、その角度θの変化に対応する放射特性を理想空間（電波暗室）で測定した場合に係り、図１０はその測定結果である。図１０の▲プロットは実施形態の無線通信カード１に対する測定結果、●プロットは従来例の無線通信カード１００に対する測定結果である。図１０より、実施形態の無線通信カード１のアンテナ利得（ｄＢｉ）は０°及びその近傍では従来例の無線通信カード１００に劣っているが、２２．５°〜９０°では優位になっている。しかしながら、電波が乱反射した偏波面で到来する場合について、自動車の車内で無線通信カード１、１００のフィールドテストを行った結果では、前記劣化領域も含めて、実施形態の無線通信カード１が従来例の無線通信カード１００に比して格段に通信性能が向上しているとの評価が得られた。
【００３５】
また、図１１は上記実施形態の無線通信カード１のダイポールアンテナ４を短縮率５０％とした構成例について、１．７ＧＨｚ〜２．１ＧＨｚで中心周波数１．９ＧＨｚのＶＳＷＲ特性を示す図である。本実施例のアンテナのＶＳＷＲ２．０に於ける比帯域は、（２．０６［ＧＨｚ］−１．７７［ＧＨｚ］）／１．９［ＧＨｚ］×１００［％］≒１５［％］で、短縮アンテナであるにも拘わらず、約１０％以上の広帯域特性を示し、使用周波数帯域（（△１と△３の帯域）ではＶＳＷＲ１．４以下の良好な特性を得た。
【産業上の利用可能性】
【００３６】
本発明は、例えば車両等に設置されたコンピュータ機器に装着され、無線通信を可能とする無線通信カードとして利用することができる。
【図面の簡単な説明】
【００３７】
【図１】（ａ）は本発明の実施形態の無線通信カードを示す斜視図、（ｂ）は同図（ａ）の無線通信カードのアンテナ部分を示す斜視説明図。
【図２】図１の無線通信カードの縦断面図。
【図３】図１の無線通信カードの高周波的な解析を説明する説明図。
【図４】図１の無線通信カードの部分縦断面図。
【図５】（ａ）は実施形態の無線通信カードについて水平偏波に対する垂直面内放射特性の測定ポジションを示す説明図、（ｂ）は同図（ａ）の測定ポジションによる測定結果を示す指向特性図。
【図６】（ａ）は実施形態の無線通信カードについて垂直偏波に対する垂直面内放射特性の測定ポジションを示す説明図、（ｂ）は同図（ａ）の測定ポジションによる測定結果を示す指向特性図。
【図７】（ａ）は図１０の従来例の無線通信カードについて垂直偏波に対する垂直面内放射特性の測定ポジションを示す説明図、（ｂ）は同図（ａ）の測定ポジションによる測定結果を示す指向特性図。
【図８】実施形態の無線通信カードについて測定アンテナの角度変化に対応する放射特性の測定ポジションを示す説明図。
【図９】図１２の従来例の無線通信カードについて測定アンテナの角度変化に対応する放射特性の測定ポジションを示す説明図。
【図１０】実施形態の無線通信カード及び図１０の従来例の無線通信カードについて測定アンテナの角度変化に対応する放射特性の測定結果を示す図。
【図１１】実施形態の無線通信カードのＶＳＷＲ特性を示す図。
【図１２】（ａ）は従来例の無線通信カードの斜視図、（ｂ）は同図（ａ）の無線通信カードの接続構造を説明する説明図。
【符号の説明】
【００３８】
１、１００  無線通信カード
２、１０１  シールドケース
２ａ  前端縁
２ｂ  下板
２ｃ  上板
２１  フロントカバー
２１ａ  後端縁
３  アンテナ用プリント基板
４  ダイポールアンテナ
４ａ、４ｂ  アンテナ素子
５、１０６  同軸線路
６、１０８  中心導体
７、１１０  外部導体
８、１０２  回路基板
９  絶縁フィルム
８１、９１  穴
１０  開口
１０ａ  開放部
１１  金属バネ
１２  分布容量
１３  測定用アンテナ
１０３  前部
１０４  切欠部
１０５  アンテナ
１０７  グランド
１０９  高周波電源
【図１】
2007151071.tif 000003
【図２】
2007151071.tif 000004
【図３】
2007151071.tif 000005
【図４】
2007151071.tif 000006
【図５】
2007151071.tif 000007
【図６】
2007151071.tif 000008
【図７】
2007151071.tif 000009
【図８】
2007151071.tif 000010
【図９】
2007151071.tif 000011
【図１０】
2007151071.tif 000012
【図１１】
2007151071.tif 000013
【図１２】
2007151071.tif 000014